(57)【要約】      （修正有）【課題】複数の患者の生体情報を正しく収集して記憶することで、患者の取り違え等の事故を未然に防ぐ、生体情報収集方法及び生体情報収集装置を提供する。【解決手段】患者ＩＤを読み取った時点の日時情報を、生体情報収集装置１０７が内蔵するＲＴＣ（リアルタイムクロック）から取得して、一時メモリに記憶する。更に、生体情報を生体情報測定装置１０６から受信する際、生体情報を測定した時点の日時情報を、生体情報測定装置１０６が内蔵するＲＴＣから取得して、一時メモリに記憶する。そして生体情報収集装置１０７は、患者ＩＤを読み取った日時より以前に測定された生体情報を生体情報測定装置１０６から読み取ろうとすれば、登録時にワーニングを告知して、生体情報の測定を促す。改めて正しい日時の生体情報を読み取ったら、正常に登録する。【選択図】図１
2015187804.tif 000002
【特許請求の範囲】
【請求項１】
患者に付されている、患者を一意に識別するための患者ＩＤを取得して、前記患者ＩＤを取得した時刻の情報である患者ＩＤ取得時刻情報と共に所定の記憶領域に記憶する患者ＩＤ記憶ステップと、
生体情報測定装置から所定の生体情報データと前記生体情報データを測定した日時の情報である測定日時情報を取得して、前記所定の記憶領域に記憶する生体情報記憶ステップと、
前記患者ＩＤ取得時刻情報と前記測定日時情報とを比較して、前記測定日時情報の時刻情報が前記患者ＩＤ取得時刻情報より後であれば、前記所定の記憶領域に記憶されている前記患者ＩＤと前記生体情報データと前記測定日時情報を測定値テーブルに登録する生体情報登録ステップと
を有する、生体情報収集方法。
【請求項２】
前記生体情報登録ステップは、前記患者について収集すべき複数の生体情報の種類を記す情報を参照して、前記患者に必要な前記生体情報データを全て収集され、かつ前記患者に必要な前記生体情報データが全て前記患者ＩＤ取得時刻情報より後に測定された場合に、前記生体情報データを測定値テーブルに登録する、請求項１に記載の生体情報収集方法。
【請求項３】
患者に付されている、患者を一意に識別するための患者ＩＤを取得する患者ＩＤ取得部と、
時刻情報を出力する計時部と、
生体情報測定装置から所定の生体情報データと前記生体情報データを測定した日時の情報である測定日時情報を受信する生体情報受信部と、
前記患者ＩＤと、前記計時部から前記患者ＩＤ取得部が前記患者ＩＤを取得した時刻の情報である患者ＩＤ取得時刻情報と、前記生体情報データと、前記測定日時情報とを記憶する一時メモリと、
前記患者ＩＤと、前記生体情報データと、前記測定日時情報とを記憶する測定値テーブルと、
前記患者ＩＤ取得部が前記患者ＩＤを取得した時刻を前記計時部から取得して前記一時メモリに記憶させると共に、前記生体情報受信部から前記生体情報データと前記測定日時情報を受信して前記一時メモリに記憶させると共に、前記患者ＩＤ取得時刻情報と前記測定日時情報とを比較して、前記測定日時情報の時刻情報が前記患者ＩＤ取得時刻情報より後であれば、前記一時メモリに記憶されている前記患者ＩＤと前記生体情報データと前記測定日時情報を前記測定値テーブルに登録する入出力制御部と
を具備する生体情報収集装置。
【請求項４】
前記入出力制御部は、前記患者について収集すべき複数の生体情報の種類を記す情報を参照して、前記患者に必要な前記生体情報データを全て収集され、かつ前記患者に必要な前記生体情報データが全て前記患者ＩＤ取得時刻情報より後に測定された場合に、前記生体情報データを測定値テーブルに登録する、請求項３に記載の生体情報収集装置。
【発明の詳細な説明】
【技術分野】
【０００１】
本発明は、生体情報を収集して記憶する、生体情報収集方法及び生体情報収集装置に関する。
【背景技術】
【０００２】
近年、急速に患者数が増加している糖尿病は、膵臓のインスリン分泌異常やインスリンに対する感受性低下に起因する。
糖尿病を治療する上で、合併症の発症や進行の阻止は重要であり、そのためには血糖値を正常にコントロールすることが不可欠である。そのため、家庭内で患者自らあるいはその家族が血糖値を簡便に測定するための血糖測定装置（血糖計）が開発され、出願人は、小型で自己測定を目的とした血糖計を開発している。一方、出願人は、病院に入院する複数の患者に対し、看護師が患者の取り違え等のミスを未然に防止して、血糖値を測定する、患者データベースの機能を備える、病棟向けの血糖計も開発している。
なお、出願人による血糖計に関する特許出願を、特許文献１に示す。
【先行技術文献】
【特許文献】
【０００３】
【特許文献１】特開２０１１−６４５９６号公報
【発明の概要】
【発明が解決しようとする課題】
【０００４】
前述の通り、出願人は、用途に応じて、個人向けや病棟向けの血糖計を製造販売している。
個人向けの血糖計は、血糖値を測定して記憶し、液晶ディスプレイである表示部に血糖値を表示する、という、血糖計として基本的な機能を備える。
病棟向けの血糖計は、複数の患者の血糖値を測定して記憶するために、複数の患者ＩＤを記憶するデータベースと患者ＩＤを読み取るバーコードリーダを備えている。このため、病棟向けの血糖計は個人向けの血糖計に比べ、高価である。病院の規模によっては、個人向けの血糖計を病棟内で複数の患者の血糖値の測定に使用しているケースが見受けられる。出願人は、こういった事情を鑑み、個人向けの血糖計を中小規模の病院で正しく利用して貰うための機器の開発を進めている。
【０００５】
個人向けの血糖計は、患者を区別する機能がない。このため、病棟向けの血糖計と同様の、患者ＩＤを記憶するデータベースや、患者ＩＤを読み取るバーコードリーダを、別途用意する必要が生じる。
【０００６】
本発明はかかる点に鑑みてなされたものであり、複数の患者の生体情報を正しく収集して記憶することで、患者の取り違え等の事故を未然に防ぐ、生体情報収集方法及び生体情報収集装置を提供することを目的とする。
【課題を解決するための手段】
【０００７】
上記課題を解決するために、本発明の生体情報収集方法は、患者に付されている、患者を一意に識別するための患者ＩＤを取得して、患者ＩＤを取得した時刻の情報である患者ＩＤ取得時刻情報と共に所定の記憶領域に記憶する患者ＩＤ記憶ステップと、生体情報測定装置から所定の生体情報データと生体情報データを測定した日時の情報である測定日時情報を取得して、所定の記憶領域に記憶する生体情報記憶ステップとを有する。更に、患者ＩＤ取得時刻情報と測定日時情報とを比較して、測定日時情報の時刻情報が患者ＩＤ取得時刻情報より後であれば、所定の記憶領域に記憶されている患者ＩＤと生体情報データと測定日時情報を測定値テーブルに登録する生体情報登録ステップとを有する。
【発明の効果】
【０００８】
本発明により、複数の患者の生体情報を正しく収集して記憶することで、患者の取り違え等の事故を未然に防ぐ、生体情報収集方法及び生体情報収集装置を提供できる。
【図面の簡単な説明】
【０００９】
【図１】本発明の実施形態の例である生体情報収集装置の、使用状況を示す概略図である。
【図２】生体情報測定装置のハードウェア構成を示すブロック図と、ソフトウェア機能を示すブロック図と、生体情報測定装置が無線インターフェースを通じてデータ中継カードに送信するデータの構造を示す概略図である。
【図３】データ中継カードの斜視図と、ハードウェア構成を示すブロック図と、ソフトウェア機能を示すブロック図である。
【図４】生体情報収集装置のハードウェア構成を示すブロック図と、ソフトウェア機能を示すブロック図と、生体情報収集装置のソフトウェア機能の一部について、仮想的に解釈した図である。
【図５】生体情報収集装置が備えるテーブルのフィールド構成を示す図である。
【図６】第一の実施形態における、生体情報収集装置の全体的な動作の流れを説明するフローチャートである。
【図７】生体情報収集装置の全体的な動作の流れを説明するフローチャートである。
【図８】看護師が生体情報収集装置を使用してラウンドを遂行する流れを示すタイムチャートである。
【図９】第二の実施形態における、生体情報収集装置の全体的な動作の流れを説明するフローチャートである。
【図１０】看護師が生体情報収集装置を使用してラウンドを遂行する流れを示すタイムチャートである。
【発明を実施するための形態】
【００１０】
［全体構成］
図１は、本発明の実施形態の例である生体情報収集装置の、使用状況を示す概略図である。
病棟内には複数名の患者１０１ａ及び１０１ｂ（これ以降、患者１０１ａ及び１０１ｂを患者１０１と総称する）が存在する。看護師（図示せず）は、これら患者１０１に対し、朝食前や朝食後、昼食前や昼食後、夕食前や夕食後等の定刻に、血糖計１０２を用いて血糖値を測定する。このような、看護師がある決まった時間帯に複数の患者の生体情報を測定したり、投薬を行う業務を、ラウンドと呼ぶ。
本実施形態において生体情報は、血糖計１０２が測定する血糖値、体温計１０３が測定する体温、血圧計１０４が測定する血圧、パルスオキシメータ１０５が測定する経皮的動脈血酸素飽和度（ＳｐＯ２）等の、患者１０１から生体情報測定装置１０６を通じて測定する値であるものと定義する。
従来では、看護師はラウンドの際、血糖計１０２が表示する血糖値を患者名と共に所定のノートに手書きで記入していた。本実施形態の生体情報収集装置１０７は、そのような手間や不便を解消する。
【００１１】
病棟内の患者１０１には、衣服の胸ポケット近辺等に、患者１０１を一意に識別するための患者ＩＤが印刷されたバーコード１０８が貼付されている。看護師は、患者１０１から血糖値を測定するに先立ち、このバーコード１０８を、データ中継カード１０９を用いて読み取る。データ中継カード１０９にはバーコードリーダと第一の無線インターフェースが内蔵されている。そして、患者ＩＤのバーコード１０８をバーコードリーダで読み取り、血糖計１０２が測定した血糖値のデータを第一の無線インターフェースを通じて受信する。そして、データ中継カード１０９がバーコードリーダで読み取った患者ＩＤと、第一の無線インターフェースを通じて血糖計１０２から受信した血糖値のデータは、第二の無線インターフェースを通じて、直ちに生体情報収集装置１０７に転送される。
【００１２】
生体情報収集装置１０７は、近年急速に普及しているスマートフォン等の、無線通信端末である。無線通信端末は周知のパソコンと概ね類似する構成の、ＣＰＵを中心とする計算機であり、任意のアプリケーションプログラムを実行させることで、様々な機能を実現する。高速な演算処理能力を持つＣＰＵと、大容量の不揮発性ストレージを備える無線通信端末にとって、患者ＩＤや測定した血糖値のデータベースを持たせることは容易である。無線通信端末には、バーコードリーダや、血糖計１０２との無線インターフェースを備えていないものが多い。しかし、バーコードリーダと血糖計１０２との無線インターフェースを備えるデータ中継カード１０９を設けることで、個人向け血糖計を、病棟向け血糖計と同等の、患者管理機能を備える血糖値測定システムに転化させることができる。
【００１３】
図１中、血糖計１０２とデータ中継カード１０９との間の無線通信としては、一例としてＮＦＣ（Near Field Communication）がある。データ中継カード１０９と無線通信端末との間の無線通信としては、一例としてＢｌｕｅＴｏｏｔｈ（登録商標）がある。
図１に示すように、ある患者１０１から生体情報を測定するための生体情報測定装置１０６は、血糖計１０２に限らず、複数存在する。図１中、生体情報測定装置１０６として、血糖計１０２、体温計１０３、パルスオキシメータ１０５、血圧計１０４がある。これら生体情報測定装置１０６にも、血糖計１０２と同様に、ＮＦＣ規格の近距離無線通信機能が備わっている。
データ中継カード１０９を設けることで、生体情報収集装置１０７は、血糖計１０２から得られる血糖値データに留まらず、体温計１０３、パルスオキシメータ１０５、血圧計１０４等の生体情報測定装置１０６全般から得られる測定データを収集し、患者１０１毎に記憶し、管理することができる。
【００１４】
周知のように、看護師の業務は過酷である。一方で、医療過誤はあってはならない事故である。本実施形態の生体情報収集装置１０７は、患者１０１から測定した生体情報を取り違える等のミスを未然に防ぐために、ラウンドに手順のルールを設ける。このルールは、「ある患者１０１の生体情報を測定するに先立ち、必ず最初に患者ＩＤをスキャンして、その後に生体情報測定装置１０６で生体情報を測定し、最後に登録操作を行う」というものである。生体情報収集装置１０７は、動作するアプリケーションプログラムにおいてこのルールを徹底することで、患者１０１の取り違え等のミスを防ぐ。
【００１５】
［生体情報測定装置１０６］
図２Ａは生体情報測定装置１０６のハードウェア構成を示すブロック図である。
生体情報測定装置１０６は、周知のＣＰＵ２０１、ＲＯＭ２０２、ＲＡＭ２０３、日時情報を出力する計時部であるリアルタイムクロック（以下、「ＲＴＣ」と略す）２０４、液晶ディスプレイである表示部２０５、操作ボタンである操作部２０６がバス２０７に接続される、周知のマイクロコンピュータよりなる機器である。
バス２０７には更に、Ａ／Ｄ変換器２０８が接続されている。Ａ／Ｄ変換器２０８には増幅器２０９を通じてセンサ２１０が接続されている。
バス２０７には更に、ＮＦＣ規格の無線インターフェース２１１（図２Ａ及び図２Ｂ中「無線Ｉ／Ｆ」と表記）が接続されている。
【００１６】
図２Ｂは生体情報測定装置１０６のソフトウェア機能を示すブロック図である。
センサ２１０は、被験者（患者１０１）の生体情報を検出して、アナログ信号を出力する。センサ２１０は、血糖計１０２及びパルスオキシメータ１０５であればフォトトランジスタやフォトダイオード等の受光素子であり、体温計１０３であればサーミスタや赤外線受光素子等である。また、センサ２１０が血圧計１０４であれば圧力センサである。
図１では図示していないが、センサ２１０が体組成計であれば、体重計としてのセンサ２１０はひずみゲージである。なお、体組成計が体脂肪を計測するには、人体に微弱な交流信号を流し、インピーダンスを計測することによって行う。したがって、体脂肪計としてのセンサ２１０は厳密な意味では存在しないが、「信号を検出する」という概念で考えれば、体脂肪計としてのセンサ２１０は、電流を検出するための抵抗やオペアンプであるともいえる。
本実施形態の生体情報収集装置１０７は、病棟内のラウンドにおける使用を目的として構築したものであるが、これはそのまま成人病等の検診にも利用可能である。
【００１７】
これらセンサ２１０は全てアナログの電圧信号あるいは電流信号を出力する。センサ２１０が出力する信号が電流信号である場合は、一旦抵抗やオペアンプで電流信号を電圧信号に変換して、電圧信号である場合はそのまま、増幅器２０９で増幅する。そして、増幅器２０９が出力する電圧信号は、Ａ／Ｄ変換器２０８によってデジタルデータの測定情報に変換される。
【００１８】
入出力制御部２１２は、Ａ／Ｄ変換器２０８から得られる測定情報に、ＲＴＣ２０４から得られる測定日時を紐付けて、測定値メモリ２１３に記憶する。そして、ＲＯＭ２０２に格納されている生体情報測定装置１０６の名称やシリアルナンバーである機器情報２１４を付加して、無線インターフェース２１１を通じてデータ中継カード１０９へ送信する。
【００１９】
測定値メモリ２１３は不揮発性ストレージに設けられる記憶領域である。これは、フラッシュメモリのＲＯＭ２０２であってもよいし、バッテリバックアップされたＲＡＭ２０３であってもよい。
【００２０】
図２Ｃは生体情報測定装置１０６が無線インターフェース２１１を通じてデータ中継カード１０９に送信するデータの構造を示す概略図である。
生体情報測定装置１０６は最初に、機器情報２１４として生体情報測定装置１０６のモデル名２１４ａと、シリアルナンバー２１４ｂをデータ中継カード１０９へ送信する。その後、測定日時２１５と測定値２１６よりなるレコード２１７をデータ中継カード１０９へ送信する。
ここで注意すべき点は、生体情報測定装置１０６は、最新の測定値データのみを生体情報収集装置１０７へ送信する、という点である。あるいは、生体情報収集装置１０７は、生体情報測定装置１０６から受信した生体情報データのうち、最新の測定値データのみを採用し、それ以前の古い測定値データは全て破棄する。
生体情報測定装置１０６が複数の患者１０１あるいは被験者の生体情報を測定するためには、患者１０１毎に測定した測定値データに患者ＩＤを紐付ける手順が必要になる。本実施形態にて開示する生体情報測定装置１０６には、単体で患者ＩＤと紐付ける機能が備わっていない。このため、生体情報収集装置１０７は、生体情報測定装置１０６から最新の測定値データのみを受け付けることになる。
【００２１】
［データ中継カード１０９］
図３Ａはデータ中継カード１０９の斜視図である。データ中継カード１０９は、略長方形の筐体３０１の中心に操作ボタン３０２が設けられている。この操作ボタン３０２は、筐体３０１の側面に設けられているバーコードリーダ３０３を起動させるためのボタンである。また、データ中継カード１０９の筐体３０１内部には、後述する無線インターフェースが二つ内蔵されている。
【００２２】
図３Ｂはデータ中継カード１０９のハードウェア構成を示すブロック図である。
データ中継カード１０９は、ＣＰＵ３０４、ＲＯＭ３０５、ＲＡＭ３０６、操作ボタン３０２、バーコードリーダ３０３がバス３０７に接続される、周知のマイクロコンピュータよりなる機器である。
操作ボタン３０２は、例えばメンブレンスイッチである。操作ボタン３０２は、使用者による電源のオン／オフや、バーコードリーダ３０３の起動を受け付ける。
バス３０７には更に、第一無線インターフェース３０８（図３Ｂ及び図３Ｃ中「第一無線Ｉ／Ｆ」と表記）と、第二無線インターフェース３０９（図３Ｂ及び図３Ｃ中「第二無線Ｉ／Ｆ」と表記）が接続されている。第一無線インターフェース３０８はＮＦＣであり、第二無線インターフェース３０９はＢｌｕｅＴｏｏｔｈ（登録商標）である。
図２Ａの生体情報測定装置１０６と比較すると、表示部２０５が省略され、操作部２０６の代わりに操作ボタン３０２がバス３０７に接続され、ＲＴＣ２０４とＡ／Ｄ変換器２０８が省略されている以外は、同様の構成である。操作ボタン３０２は簡素化した操作部２０６である。
【００２３】
図３Ｃはデータ中継カード１０９のソフトウェア機能を示すブロック図である。
入出力制御部３１０は、操作ボタン３０２の操作を受けて、バーコードリーダ３０３から患者ＩＤやスタッフＩＤを読み取り、一旦、ＲＡＭ３０６上に設けられるバッファ３１１に蓄積する。そして、第二無線インターフェース３０９を通じて、バーコードリーダ３０３が読み取ったバーコード１０８の情報を直ちに生体情報収集装置１０７へ送信する。
また、データ中継カード１０９を生体情報測定装置１０６にかざすことで、入出力制御部３１０は、第一無線インターフェース３０８から生体情報データを受信し、一旦、バッファ３１１に蓄積する。そして、第二無線インターフェース３０９を通じて、生体情報測定装置１０６から受信した生体情報データを直ちに生体情報収集装置１０７へ送信する。なお、ＮＦＣによって意図しない生体情報データが受信されるのを防止するため、操作ボタン３０２は、生体情報測定装置１０６から生体情報データの受信を開始するボタンを兼ねてもよい。この場合、データ中継カード１０９を生体情報測定装置１０６にかざして操作ボタン３０２を押すことで、入出力制御部３１０が第一無線インターフェース３０８から生体情報データを受信する。
【００２４】
血糖計１０２、体温計１０３、パルスオキシメータ１０５、血圧計１０４等の生体情報測定装置１０６には、ＮＦＣ規格の無線インターフェースが備わっている。しかし、携帯型無線端末である生体情報収集装置１０７には、ＮＦＣ規格の無線インターフェースが備わっていない場合がある。また、生体情報収集装置１０７にはバーコードリーダ３０３は備わっていない。そこで、バーコードリーダ３０３と血糖計１０２との無線インターフェースを備えるデータ中継カード１０９を設ける。データ中継カード１０９は生体情報収集装置１０７とＢｌｕｅＴｏｏｔｈ（登録商標）におけるＨＩＤ（Human Interface Device Profile）という周辺機器として接続を確立し、生体情報収集装置１０７にとっての情報入力装置として稼働する。
【００２５】
［生体情報収集装置１０７］
図４Ａは生体情報収集装置１０７のハードウェア構成を示すブロック図である。
携帯型無線端末である生体情報収集装置１０７は、周知のＣＰＵ４０１、ＲＯＭ４０２、ＲＡＭ４０３、フラッシュメモリ等の不揮発性ストレージ４０４、液晶ディスプレイである表示部４０５、静電式位置検出装置である操作部４０６とＲＴＣ４０７がバス４０８に接続される。透明電極の操作部４０６と表示部４０５は、タッチパネル４０９を構成する。
バス４０８には更に、ＢｌｕｅＴｏｏｔｈ（登録商標）規格の無線インターフェース４１０（図４Ａ及び図４Ｂ中「無線Ｉ／Ｆ」と表記）と、Ｄ／Ａ変換器４１２（図４Ａ中「Ｄ／Ａ」と表記）を通じてスピーカ４１３が接続されている。スピーカ４１３は後述するアラーム音を発する際に用いられる。
なお、図４Ａにおいて、生体情報収集装置１０７の機能には無関係な、携帯型無線端末を電話機として使用するためのマイクや、ＬＴＥ（Long Term Evolution）等の公衆電話回線に接続するための無線インターフェース等については表記を省略している。
【００２６】
図４Ｂは生体情報収集装置１０７のソフトウェア機能を示すブロック図である。
入出力制御部４１４は、無線インターフェース４１０を通じてデータ中継カード１０９から受信した情報を、一旦、一時メモリ４１５に蓄積する。そして、操作部４０６の操作を受けて、一時メモリ４１５の内容を測定値テーブル４１６へ転記（追記録）する。
【００２７】
図４Ｃは、生体情報収集装置１０７のソフトウェア機能の一部について、仮想的に解釈した図である。紙面の都合上、テーブル類は図示を省略している。
前述の通り、データ中継カード１０９は生体情報収集装置１０７とＨＩＤという周辺機器として接続を確立し、生体情報収集装置１０７にとっての情報入力装置として稼働する。したがって、生体情報収集装置１０７の入出力制御部４１４にとって、バーコードリーダ３０３と第一無線インターフェース３０８が仮想的に接続されているに等しい状態である。
【００２８】
図５は、生体情報収集装置１０７が備えるテーブルのフィールド構成を示す図である。これらのテーブルは、不揮発性ストレージ４０４に格納されている。
患者マスタ４１７は、患者ＩＤフィールドと、患者氏名フィールドと、生年月日フィールドと、性別フィールドと、測定対象生体情報フィールド等よりなる。
患者ＩＤフィールドには、患者１０１を一意に識別する患者ＩＤが格納されている。患者氏名フィールドには、患者１０１の氏名が格納されている。生年月日フィールドには、患者１０１の生年月日が格納されている。性別フィールドには、患者１０１の性別が格納されている。
測定対象生体情報フィールドには、患者１０１に対する測定対象となる生体情報の種類が格納されている。例えば、患者Ａは血糖値のみ、患者Ｂは血糖値と体温、患者Ｃは血糖値と体温とＳｐＯ２と血圧、といった情報である。
【００２９】
測定値テーブル４１６は、患者ＩＤフィールドと、測定値種別フィールドと、測定日時フィールドと、測定値フィールドよりなる。
患者ＩＤフィールドは、患者マスタ４１７の同名のフィールドと同じである。
測定値種別フィールドには、測定値の種別を示す情報が格納されている。測定値の種別とは、例えば「血糖値」、「体温」、「ＳｐＯ２」、「血圧」等の、その測定値が何の測定値であるのかを示す識別情報である。
測定日時フィールドには、測定値が測定された日時情報が格納されている。
測定値フィールドには、測定値が格納されている。
すなわち、測定値テーブル４１６は、複数の患者１０１の、複数種類の生体情報を格納する。
【００３０】
機器マスタ４１８は、モデル名フィールドと、測定値種別フィールドよりなる。
モデル名フィールドには、生体情報測定装置１０６のモデル名２１４ａが格納されている。
測定値種別フィールドは、測定値テーブル４１６の同名フィールドと同じである。
つまり、入出力制御部４１４は、生体情報測定装置１０６から受信した測定値データの、先頭部分にあるモデル名２１４ａから、測定値の種別を特定する。
【００３１】
一時メモリ４１５は、患者ＩＤフィールドと、患者ＩＤ取得日時フィールドと、測定対象生体情報フィールドと、第一測定値種別フィールドと、第一測定日時フィールドと、第一生体情報フィールドと、第二測定値種別フィールドと、第二測定日時フィールドと、第二生体情報フィールドと…よりなる。
患者ＩＤフィールドと、測定対象生体情報フィールドは、患者マスタ４１７の同名のフィールドと同じである。
第一測定値種別フィールドと、第一測定日時フィールドと、第一生体情報フィールドは、第一の生体情報測定装置から受信した測定値データを格納するフィールドである。
第一測定値種別フィールドには、測定値テーブル４１６の測定値種別フィールドと同じ、測定値の種別を示す情報が格納される。
第一測定日時フィールドには、測定値テーブル４１６の測定日時フィールドと同じ、測定値が測定された日時情報が格納される。
第一生体情報フィールドには、測定値テーブル４１６の測定値フィールドと同じ、測定値が格納される。
これらと同様に、第二の生体情報測定装置から受信した測定値データは、第二測定値種別フィールドと、第二測定日時フィールドと、第二生体情報フィールドに格納される。以下同様に、第三の生体情報測定装置、第四の生体情報測定装置…と続く。
【００３２】
［第一の実施形態：血糖値のみを収集する、生体情報収集装置１０７の動作］
これより、生体情報収集装置１０７の動作を説明する。
説明を容易にするために、第一の実施形態では、生体情報収集装置１０７が血糖値のみを収集するものとして説明する。生体情報収集装置１０７の入出力制御部４１４は、一時メモリ４１５の、患者ＩＤフィールドと、患者ＩＤ取得日時フィールドと、第一測定日時フィールドと、第一生体情報フィールドのみを使用する。
後述する第二の実施形態では、生体情報収集装置１０７が血糖値に加えて、体温等、様々な生体情報を収集するものとして説明する。
【００３３】
図６は、生体情報収集装置１０７の全体的な動作の流れを説明するフローチャートである。
処理を開始すると（Ｓ６０１）、先ず、生体情報収集装置１０７の入出力制御部４１４は、データ中継カード１０９を通じてバーコードリーダ３０３から看護師のＩＤを読み取る、スタッフＩＤ登録処理を行う（Ｓ６０２）。
【００３４】
これ以降はループ処理になる。
先ず、入出力制御部４１４は、現在の一時メモリ４１５の内容を表示部４０５に表示する、表示処理を行い（Ｓ６０３）、情報の入力を待つ（Ｓ６０４）。
次に、入出力制御部４１４は、自身に入来した情報が患者ＩＤであるか否かを確認する（Ｓ６０５）。入来した情報が、バーコードリーダ３０３が読み取った患者ＩＤであるならば（Ｓ６０５のＹＥＳ）、入出力制御部４１４は、一時メモリ４１５に患者ＩＤが未登録の状態であるか否かを確認する（Ｓ６０６）。患者ＩＤが未登録であるならば（Ｓ６０６のＹＥＳ）、入出力制御部４１４は、バーコードリーダ３０３が読み取った患者ＩＤを一時メモリ４１５の患者ＩＤフィールドへ、ＲＴＣ４０７から取得した現在日時情報を一時メモリ４１５の患者ＩＤ取得日時フィールドへ記憶させる（Ｓ６０７）。そして、再度ステップＳ６０３から処理を繰り返す。もし、ステップＳ６０６において患者ＩＤが既に一時メモリ４１５内に記憶済みであるならば（Ｓ６０６のＮＯ）、入出力制御部４１４はエラーメッセージを表示部４０５に表示して（Ｓ６０８）、再度ステップＳ６０３から処理を繰り返す。
【００３５】
ステップＳ６０５において、入来した情報が、バーコードリーダ３０３が読み取った患者ＩＤでないならば（Ｓ６０５のＮＯ）、次に入出力制御部４１４は、自身に入来した情報が血糖値であるか否かを確認する（Ｓ６０９）。入来した情報が、無線インターフェース４１０を通じて血糖計１０２から受信した血糖値であるならば（Ｓ６０９のＹＥＳ）、次に入出力制御部４１４は、一時メモリ４１５の患者ＩＤフィールドに患者ＩＤが記憶されているか、すなわち一時メモリ４１５に患者ＩＤが登録済みの状態であるか否かを確認する（Ｓ６１０）。一時メモリ４１５に患者ＩＤが登録済みであるならば（Ｓ６１０のＹＥＳ）、入出力制御部４１４は無線インターフェース４１０を通じて血糖計１０２から受信した血糖値及び血糖値の測定日時を一時メモリ４１５に一時的に記憶させる（Ｓ６１１）。そして、再度ステップＳ６０３から処理を繰り返す。もし、ステップＳ６１０において患者ＩＤが一時メモリ４１５内に未登録の状態であるならば（Ｓ６１０のＮＯ）、入出力制御部４１４はエラーメッセージを表示部４０５に表示して（Ｓ６１２）、再度ステップＳ６０３から処理を繰り返す。
【００３６】
ステップＳ６０９において、入来した情報が、無線インターフェース４１０を通じて血糖計１０２から受信した血糖値でないならば（Ｓ６０９のＮＯ）、次に入出力制御部４１４は、自身に入来した情報が、操作部４０６から受け取った、看護師等の使用者による登録操作を示す情報であるか否かを確認する（Ｓ６１３）。入来した情報が、操作部４０６から受け取った、看護師等の使用者による登録操作を示す情報であるならば（Ｓ６１３のＹＥＳ）、次に入出力制御部４１４は、一時メモリ４１５に一時的に記憶されている患者ＩＤ取得日時と、血糖値の測定日時（第一測定日時）を比較して、血糖値は患者ＩＤ取得日時以降に測定されたか否かを確認する（Ｓ６１４）。血糖値が患者ＩＤ取得日時以降に測定されたのであるならば（Ｓ６１４のＹＥＳ）、入出力制御部４１４は、一時メモリ４１５に記憶されている患者ＩＤ、患者ＩＤ取得日時、血糖値（第一生体情報）及び血糖値の測定日時（第一測定日時）を、測定値テーブル４１６に追記録して（Ｓ６１５）、一時メモリ４１５の内容を消去する。そして、再度ステップＳ６０３から処理を繰り返す。
ステップＳ６１４において、血糖値が患者ＩＤ取得日時以降に測定されたのでないならば（Ｓ６１４のＮＯ）、入出力制御部４１４は、血糖値が患者ＩＤ取得日時以前に測定されたものであることを示すワーニングメッセージを表示部４０５に表示する（Ｓ６１６）。そして、再度ステップＳ６０３から処理を繰り返す。
【００３７】
図７を参照して、フローチャートの続きを説明する。
図６のステップＳ６１３において、入来した情報が、操作部４０６から受け取った、看護師等の使用者による登録操作を示す情報でないならば（Ｓ６１３のＮＯ）、次に入出力制御部４１４は、自身に入来した情報が、操作部４０６から受け取った、看護師等の使用者による生体情報収集作業の終了を命ずる情報であるか否かを確認する（Ｓ７１７）。
入来した情報が、操作部４０６から受け取った、看護師等の使用者による生体情報収集作業の終了を命ずる情報であるならば（Ｓ７１７のＹＥＳ）、次に入出力制御部４１４は、ファイルクローズ処理等の、一連の動作を終了するための処理を行った後（Ｓ７１８）、一連の動作を終了する（Ｓ７１９）。
入来した情報が、操作部４０６から受け取った、看護師等の使用者による生体情報収集作業の終了を命ずる情報でないならば（Ｓ７１７のＮＯ）、入出力制御部４１４は、再度図６のステップＳ６０３から処理を繰り返す。
【００３８】
図８は、看護師が生体情報収集装置１０７を使用してラウンドを遂行する流れを示すタイムチャートである。このタイムチャートでは、最初に正常に血糖値を登録できた場合の処理の流れを説明した後、看護師のミスで血糖値を登録できなかった場合の処理の流れを説明する。
【００３９】
ある日の１１時３５分、看護師８３１は、最初にデータ中継カード１０９のバーコードリーダ３０３を用いて、患者１０１のバーコード１０８に記述されている患者ＩＤを読み取る（Ｓ８０１）。すると、データ中継カード１０９はバーコードリーダ３０３から読み取った患者ＩＤを一旦バッファ３１１に記憶した後、直ちにＢｌｕｅＴｏｏｔｈ（登録商標）規格の無線通信にて生体情報収集装置１０７に患者ＩＤを転送する。すると、生体情報収集装置１０７はデータ中継カード１０９から患者ＩＤを受け取る。そして、内部のＲＴＣ４０７から現在日時である「某年某月某日１１時３５分」という情報を取得して、一時メモリ４１５に患者ＩＤと現在日時情報を記憶する（Ｓ８０２）。そして、表示部４０５に患者ＩＤを表示して、スピーカ４１３からアラーム音を鳴動させる（Ｓ８０３）。
【００４０】
１１時３８分に、看護師８３１は、血糖計１０２を用いて、患者１０１の血糖値を測定する（Ｓ８０４）。血糖計１０２は、測定した血糖値と、内部のＲＴＣ２０４から現在日時（測定日時）である「某年某月某日１１時３８分」という情報を取得して、測定値メモリ２１３に記憶する。そして、看護師８３１は血糖計１０２をデータ中継カード１０９にかざす（Ｓ８０５）。すると、血糖計１０２とデータ中継カード１０９との間でＮＦＣ規格の無線通信が行われ、血糖計１０２から血糖値と測定日時情報がデータ中継カード１０９に転送される。データ中継カード１０９は血糖計１０２から受信した血糖値と測定日時情報を一旦バッファ３１１に記憶した後、直ちに生体情報収集装置１０７に血糖値と測定日時情報を転送する。すると、生体情報収集装置１０７はデータ中継カード１０９から血糖値と測定日時情報を受け取る。そして、一時メモリ４１５に血糖値と測定日時情報を記憶する（Ｓ８０６）。そして、表示部４０５に血糖値を表示して、スピーカ４１３からアラーム音を鳴動させる（Ｓ８０７）。
【００４１】
この後、看護師８３１は生体情報収集装置１０７のタッチパネル４０９に触れて、登録操作を行う（Ｓ８０８）。タッチパネル４０９を構成する操作部４０６が登録操作を受け付けると（Ｓ８０９）、登録操作情報が入出力制御部４１４に送られる。入出力制御部４１４は操作部４０６から登録操作情報を受けて、一時メモリ４１５内の、患者ＩＤ取得日時（某年某月某日１１時３５分）と、第一測定日時（某年某月某日１１時３８分）とを比較し、血糖値は患者ＩＤ取得後に測定されたか否かを確認する。その結果、血糖値は正常に患者ＩＤ取得後に測定されたことが判る（Ｓ８１０）。入出力制御部４１４はこの判定結果を踏まえ、患者ＩＤと血糖値と血糖値の測定日時（第一測定日時）を測定値テーブル４１６に新規レコードとして追記録する（Ｓ８１１）。そして、測定値テーブル４１６に対する新規レコードの追記録が正常に終了した旨のメッセージを表示部４０５に表示させると共に、スピーカ４１３からアラーム音を鳴動させる（Ｓ８１２）。
【００４２】
１１時４１分、看護師８３１は、最初にデータ中継カード１０９のバーコードリーダ３０３を用いて、次の患者１０１のバーコード１０８に記述されている患者ＩＤを読み取る（Ｓ８１３）。すると、データ中継カード１０９はバーコードリーダ３０３から読み取った患者ＩＤを一旦バッファ３１１に記憶した後、直ちに生体情報収集装置１０７に患者ＩＤを転送する。すると、生体情報収集装置１０７はデータ中継カード１０９から患者ＩＤを受け取る。そして、内部のＲＴＣ４０７から現在日時である「某年某月某日１１時４１分」という情報を取得して、一時メモリ４１５に患者ＩＤと現在日時情報を記憶する（Ｓ８１４）。そして、表示部４０５に患者ＩＤを表示して、スピーカ４１３からアラーム音を鳴動させる（Ｓ８１５）。
【００４３】
次に、看護師８３１は血糖計１０２を用いて、患者１０１の血糖値を測定するつもりであったが、疲労により血糖値の測定を忘れてしまった（Ｓ８１６）。この時点で、血糖計１０２には、ステップＳ８０４の時点である１１時３８分に測定した、前の患者１０１の血糖値が測定値メモリ２１３に記憶されたままである。そして、看護師８３１は血糖計１０２をデータ中継カード１０９にかざす（Ｓ８１７）。すると、血糖計１０２からステップＳ８０４の時点における、前の患者１０１の血糖値と測定日時情報がデータ中継カード１０９に転送される。データ中継カード１０９は血糖計１０２から受信した血糖値と測定日時情報を一旦バッファ３１１に記憶した後、直ちに生体情報収集装置１０７に血糖値と測定日時情報を転送する。すると、生体情報収集装置１０７はデータ中継カード１０９から血糖値と測定日時情報を受け取る。そして、一時メモリ４１５に血糖値と測定日時情報を記憶する（Ｓ８１８）。そして、表示部４０５に血糖値を表示して、スピーカ４１３からアラーム音を鳴動させる（Ｓ８１９）。
【００４４】
この後、看護師８３１は生体情報収集装置１０７のタッチパネル４０９に触れて、登録操作を行う（Ｓ８２０）。タッチパネル４０９を構成する操作部４０６が登録操作を受け付けると（Ｓ８２１）、登録操作情報が入出力制御部４１４に送られる。入出力制御部４１４は操作部４０６から登録操作情報を受けて、一時メモリ４１５内の、患者ＩＤ取得日時（某年某月某日１１時４１分）と、第一測定日時（某年某月某日１１時３８分）とを比較し、血糖値は患者ＩＤ取得後に測定されたか否かを確認する。その結果、血糖値は患者ＩＤ取得前に測定されたことが判る（Ｓ８２２）。入出力制御部４１４はこの判定結果を踏まえ、血糖値が患者ＩＤ取得後に測定されていない旨を示す異常メッセージを表示部４０５に表示させると共に、スピーカ４１３からアラーム音を鳴動させる（Ｓ８２３）。
【００４５】
ステップＳ８２３の後、改めて血糖計１０２を用いて患者１０１の血糖値を測定して（Ｓ８０４）、登録操作を行えば（Ｓ８０８）、血糖値と測定日時情報が一時メモリ４１５に上書きされるので（Ｓ８０６）、時刻の比較結果も正常を示し（Ｓ８１０）、測定値テーブル４１６に対する新規レコードの追記録が正常に行われる（Ｓ８１１）。
【００４６】
［第二の実施形態：複数種類の生体情報を収集する、生体情報収集装置１０７の動作］
図９は、生体情報収集装置１０７の全体的な動作の流れを説明するフローチャートである。図９のフローチャートの、第一の実施形態における図６のフローチャートとの相違点は、以下の通りである。
【００４７】
（１）図６のステップＳ６０７に相当するステップＳ９０７において、入出力制御部４１４は、バーコードリーダ３０３が読み取った患者ＩＤを一時メモリ４１５の患者ＩＤフィールドへ、ＲＴＣ４０７から取得した現在日時情報を一時メモリ４１５の患者ＩＤ取得日時フィールドへ記憶させる他、当該患者ＩＤに係る患者マスタ４１７のレコードの、測定対象生体情報フィールドを読み取り、この測定対象生体情報も一時メモリ４１５の測定対象生体情報フィールドに記憶させる。
【００４８】
（２）図６のステップＳ６０９に相当するステップＳ９０９の後に、ステップＳ９１０として、入出力制御部４１４は、一時メモリ４１５内の測定対象生体情報を参照して、自身に入来した生体情報が真に測定すべき、測定対象生体情報であるのか否かを確認する。正常な測定対象生体情報であるならば（Ｓ９１０のＹＥＳ）、図６のステップＳ６１０に相当するステップＳ９１１に移行する。正常な測定対象生体情報でないならば（Ｓ９１０のＮＯ）、図６のステップＳ６１２に相当するステップＳ９１３に移行し、エラーメッセージを表示部４０５に表示する。
【００４９】
（３）図６のステップＳ６１３に相当するステップＳ９１４では、一時メモリ４１５内に記憶されている全ての生体情報の測定日時情報と、患者ＩＤ取得日時とを比較する。一つでも患者ＩＤ取得日時より以前の測定日時情報がある場合は、図６のステップＳ６１６に相当するステップＳ９１８に移行し、ワーニングメッセージを表示部４０５に表示する。
【００５０】
（４）図６のステップＳ６１４に相当するステップＳ９１５の後に、ステップＳ９１６として、入出力制御部４１４は、一時メモリ４１５内の測定対象生体情報を参照して、一時メモリ４１５内には当該患者１０１に対して測定すべき生体情報が全て記憶されているか否かを確認する。全ての測定対象生体情報が揃ったならば（Ｓ９１６のＹＥＳ）、図６のステップＳ６１５に相当するステップＳ９１７に移行する。未だ全ての測定対象生体情報が揃っていないならば（Ｓ９１６のＮＯ）、図６のステップＳ６１６に相当するステップＳ９１８に移行し、ワーニングメッセージを表示部４０５に表示する。
【００５１】
なお、ステップＳ９１４のＮＯの後は、図７に移行し、図７のステップＳ７１７のＮＯの後は、図９のステップＳ９０３に移行する。すなわち、図７のフローチャートは第一の実施形態と第二の実施形態とで共通する。
【００５２】
図１０は、看護師１０３１が生体情報収集装置１０７を使用してラウンドを遂行する流れを示すタイムチャートである。このタイムチャートでは、最初に血糖値と体温を測定する必要がある患者１０１に対し、看護師１０３１がミスで血糖値を測定し忘れたと共に、体温の登録をし忘れた場合の処理の流れを説明した後、看護師が血糖値を測定して登録し、体温を測定して登録して、正常に血糖値と体温を登録できた場合の処理の流れを説明する。
【００５３】
ある日の１１時４１分、看護師１０３１は、最初にデータ中継カード１０９のバーコードリーダ３０３を用いて、患者１０１のバーコード１０８に記述されている患者ＩＤを読み取る（Ｓ１００１）。すると、データ中継カード１０９はバーコードリーダ３０３から読み取った患者ＩＤを一旦バッファ３１１に記憶した後、直ちにＢｌｕｅＴｏｏｔｈ（登録商標）規格の無線通信にて生体情報収集装置１０７に患者ＩＤを転送する。すると、生体情報収集装置１０７はデータ中継カード１０９から患者ＩＤを受け取る。そして、内部のＲＴＣ４０７から現在日時である「某年某月某日１１時４１分」という情報を取得して、一時メモリ４１５に患者ＩＤと現在日時情報を記憶する他、当該患者ＩＤに係る患者マスタ４１７のレコードの、測定対象生体情報フィールドを読み取り、この測定対象生体情報も一時メモリ４１５の測定対象生体情報フィールドに記憶させる（Ｓ１００２）。この時点で、当該患者ＩＤについて、測定すべき生体情報が特定される。そして、表示部４０５に患者ＩＤを表示して、スピーカ４１３からアラーム音を鳴動させる（Ｓ１００３）。
【００５４】
次に、看護師１０３１は血糖計１０２を用いて、患者１０１の血糖値を測定するつもりであったが、疲労により血糖値の測定を忘れてしまった（Ｓ１００４）。この時点で、血糖計１０２には、患者ＩＤを取得した１１時４１分より前に測定した、前の患者１０１の血糖値が測定値メモリ２１３に記憶されたままである。ここでは、血糖計１０２には１１時３８分に測定した血糖値が測定値メモリ２１３に記憶されたままであるものとする。そして、看護師１０３１は１１時４３分に血糖計１０２をデータ中継カード１０９にかざす（Ｓ１００５）。すると、血糖計１０２から、前の患者１０１の血糖値と測定日時情報（某年某月某日１１時３８分）がデータ中継カード１０９に転送される。データ中継カード１０９は血糖計１０２から受信した血糖値と測定日時情報を一旦バッファ３１１に記憶した後、直ちに生体情報収集装置１０７に血糖値と測定日時情報を転送する。すると、生体情報収集装置１０７はデータ中継カード１０９から血糖値と測定日時情報を受け取る。そして、一時メモリ４１５に血糖値と測定日時情報を記憶する（Ｓ１００６）。そして、表示部４０５に血糖値を表示して、スピーカ４１３からアラーム音を鳴動させる（Ｓ１００７）。
【００５５】
この後、看護師１０３１は生体情報収集装置１０７のタッチパネル４０９に触れて、登録操作を行う（Ｓ１００８）。タッチパネル４０９を構成する操作部４０６が登録操作を受け付けると（Ｓ１００９）、登録操作情報が入出力制御部４１４に送られる。入出力制御部４１４は操作部４０６から登録操作情報を受けて、一時メモリ４１５内の、患者ＩＤ取得日時（某年某月某日１１時４１分）と、第一測定日時（某年某月某日１１時３８分）とを比較し、血糖値は患者ＩＤ取得後に測定されたか否かを確認する。その結果、血糖値は患者ＩＤ取得前に測定されたことが判る（Ｓ１０１０）。更に、入出力制御部４１４は当該患者１０１に必要な生体情報を全て測定しているか否かを確認する。その結果、未だ体温のデータが転送されていないことが判る（Ｓ１０１１）。入出力制御部４１４はこれらの判定結果を踏まえ、血糖値が患者ＩＤ取得後に測定されていない旨と、体温のデータが未だ登録されていない旨を示す異常メッセージを表示部４０５に表示させると共に、スピーカ４１３からアラーム音を鳴動させる（Ｓ１０１２）。
【００５６】
１１時４５分に、看護師１０３１は、生体情報収集装置１０７のタッチパネル４０９ディスプレイ（表示部４０５）に表示されている警告メッセージを確認し、患者１０１の血糖値を血糖計１０２で測定する（Ｓ１０１３）。血糖計１０２は、測定した血糖値と、内部のＲＴＣ２０４から現在日時（測定日時）である「某年某月某日１１時４５分」という情報を取得して、測定値メモリ２１３に記憶する。そして、看護師１０３１は血糖計１０２をデータ中継カード１０９にかざす（Ｓ１０１４）。すると、血糖計１０２とデータ中継カード１０９との間でＮＦＣ規格の無線通信が行われ、血糖計１０２から血糖値と測定日時情報がデータ中継カード１０９に転送される。データ中継カード１０９は血糖計１０２から受信した血糖値と測定日時情報を一旦バッファ３１１に記憶した後、直ちに生体情報収集装置１０７に血糖値と測定日時情報を転送する。すると、生体情報収集装置１０７はデータ中継カード１０９から血糖値と測定日時情報を受け取る。そして、一時メモリ４１５に血糖値と測定日時情報を記憶する（Ｓ１０１５）。そして、表示部４０５に血糖値を表示して、スピーカ４１３からアラーム音を鳴動させる（Ｓ１０１６）。
【００５７】
次に、看護師１０３１は１１時４８分に体温計１０３を用いて患者１０１の体温を測定する（Ｓ１０１７）。体温計１０３は、測定した体温と、内部のＲＴＣ２０４から現在日時（測定日時）である「某年某月某日１１時４８分」という情報を取得して、測定値メモリ２１３に記憶する。そして、看護師１０３１は体温計１０３をデータ中継カード１０９にかざす（Ｓ１０１８）。すると、体温計１０３とデータ中継カード１０９との間でＮＦＣ規格の無線通信が行われ、体温計１０３から体温と測定日時情報がデータ中継カード１０９に転送される。データ中継カード１０９は体温計１０３から受信した体温データと測定日時情報を一旦バッファ３１１に記憶した後、直ちに生体情報収集装置１０７に体温データと測定日時情報を転送する。
すると、生体情報収集装置１０７はデータ中継カード１０９から体温データと測定日時情報を受け取る。そして、一時メモリ４１５に体温データと測定日時情報を記憶する（Ｓ１０１９）。そして、表示部４０５に体温を表示して、スピーカ４１３からアラーム音を鳴動させる（Ｓ１０２０）。
【００５８】
この後、看護師１０３１は生体情報収集装置１０７のタッチパネル４０９に触れて、登録操作を行う（Ｓ１０２１）。操作部４０６が登録操作を受け付けると（Ｓ１０２２）、登録操作情報が入出力制御部４１４に送られる。入出力制御部４１４は操作部４０６から登録操作情報を受けて、一時メモリ４１５内の患者ＩＤ取得日時（某年某月某日１１時４１分）と、第一測定日時（某年某月某日１１時４５）とを比較し、血糖値は患者ＩＤ取得後に測定されたか否かを確認する。その結果、血糖値は患者ＩＤ取得後に測定されたことが判る。更に、入出力制御部４１４は一時メモリ４１５内の、患者ＩＤ取得日時（某年某月某日１１時４１分）と、第二測定日時（某年某月某日１１時４８分）とを比較し、体温は患者ＩＤ取得後に測定されたか否かを確認する。その結果、体温は患者ＩＤ取得後に測定されたことが判る（Ｓ１０２３）。更に、入出力制御部４１４は当該患者１０１に必要な生体情報を全て測定しているか否かを確認する。その結果、当該患者１０１に必要な血糖値と体温のデータを全て取得済みであることが判る（Ｓ１０２４）。入出力制御部４１４はこれらの判定結果を踏まえ、患者ＩＤと、血糖値と、血糖値の測定日時（第一測定日時）と、体温と、体温の測定日時（第二測定日時）とを測定値テーブル４１６に新規レコードとして追記録する（Ｓ１０２５）。そして、測定値テーブル４１６に対する新規レコードの追記録が正常に終了した旨のメッセージを表示部４０５に表示させると共に、スピーカ４１３からアラーム音を鳴動させる（Ｓ１０２６）。
【００５９】
このように、生体情報収集装置１０７は、看護師や医師等の使用者に対し、「ある患者１０１の生体情報を測定するに先立ち、必ず最初に患者ＩＤをスキャンして、その後に生体情報測定装置１０６で生体情報を測定し、最後に登録操作を行う」というラウンドのルールを、プログラムにて徹底させる。
患者ＩＤを読み取った日時より以前に測定された生体情報を生体情報測定装置１０６から読み取ろうとすれば、登録時にワーニングを告知して、生体情報の測定を促す。改めて正しい日時の生体情報を読み取ったら、正常に登録する。
ある患者１０１から必要な種類の生体情報が全て揃っていない場合は、登録時にワーニングを告知して、不足している生体情報の測定を促す。改めて不足している生体情報を読み取ったら、正常に登録する。
【００６０】
本実施形態は、以下の様な応用例が可能である。
（１）図６のステップＳ６１４及び図９のステップＳ９１５における日時情報の比較は、時間だけを比較してもよい。生体情報には日時情報、すなわち測定日の情報が付随するが、データを取得したタイミングを比較するには、時刻情報だけあればよい。したがって生体情報収集装置１０７は、図６のステップＳ６０７及び図９のステップＳ９０７において、ＲＴＣ４０７から患者ＩＤを取得した時刻だけ取得すればよい。
【００６１】
（２）患者ＩＤはバーコード以外にも、ＲＦＩＤ等が利用可能である。この場合、データ中継カード１０９はバーコードリーダ３０３に代えて、ＲＦＩＤリーダを備えることとなる。これら、バーコードリーダ３０３やＲＦＩＤリーダは、患者ＩＤ取得部と総称できる。データ中継カード１０９は、患者ＩＤ取得部と、生体情報測定装置１０６から生体情報データ等を受信する生体情報受信部を備えている。
（３）第一及び第二の実施形態において、日時を比較してワーニングを告知するタイミングは、生体情報が一時メモリ４１５へ記憶された時点であってもよい。
【００６２】
（４）第二の実施形態において、複数の種類の生体情報を受け付ける際、全ての生体情報が一時メモリ４１５に記憶されたら、その時点でレコード追記録が可能である旨を示すビープ音やメロディ等を発音してもよい。
（５）生体情報収集装置１０７とデータ中継カード１０９との間の接続は、ＢｌｕｅＴｏｏｔｈ（登録商標）に限らない。例えば、有線のＵＳＢであってもよい。
（６）生体情報収集装置１０７に携帯型無線端末を使用する以外にも、データ中継カード１０９と一体化した携帯型情報端末を用いてもよい。
【００６３】
（７）携帯型無線端末の代表格であるスマートフォンは、バッテリ駆動時間をできるだけ長く維持するために、きめ細かい節電対策を施していることが多い。本実施形態の生体情報収集装置１０７をスマートフォンで実現する際、この節電対策（節電モード）が看護師の操作の邪魔になることが考えられる。生体情報収集装置１０７を実現するアプリケーションプログラムは、無線インターフェース４１０を常時稼働させ、データ中継カード１０９から任意のデータが入来したら、その時点から節電モード解除時間を長めに、例えば２分間だけ確保して、タッチパネル４０９を動作状態に維持することが好ましい。
【００６４】
本実施形態においては、生体情報収集装置１０７を開示した。
生体情報収集装置１０７は、看護師や医師等の使用者に対し、「ある患者１０１の生体情報を測定するに先立ち、必ず最初に患者ＩＤをスキャンして、その後に生体情報測定装置１０６で生体情報を測定し、最後に登録操作を行う」というラウンドのルールを、プログラムにて徹底させる。
データ中継カード１０９を通じて患者ＩＤをバーコードリーダ３０３にて読み取る際、患者ＩＤを読み取った時点の日時情報を、生体情報収集装置１０７が内蔵するＲＴＣ４０７から取得して、一時メモリ４１５に記憶する。更に、データ中継カード１０９を通じて生体情報を生体情報測定装置１０６から受信する際、生体情報を測定した時点の日時情報を、生体情報測定装置１０６が内蔵するＲＴＣ２０４から取得して、一時メモリ４１５に記憶する。
そして、生体情報収集装置１０７は、患者ＩＤを読み取った日時より以前に測定された生体情報を生体情報測定装置１０６から読み取ろうとすれば、登録時にワーニングを告知して、生体情報の測定を促す。改めて正しい日時の生体情報を読み取ったら、正常に登録する。
生体情報収集装置１０７は、このように日時情報に基づくエラーチェック機能を設けることで、医療過誤を未然に防ぐ。
更に、ある患者１０１から必要な種類の生体情報が全て揃っていない場合は、登録時にワーニングを告知して、不足している生体情報の測定を促す。改めて不足している生体情報を読み取ったら、正常に登録する。生体情報収集装置１０７は、このように生体情報種別のチェック機能を設けることで、医療過誤を未然に防ぐ。
【００６５】
以上、本発明の実施形態例について説明したが、本発明は上記実施形態例に限定されるものではなく、特許請求の範囲に記載した本発明の要旨を逸脱しない限りにおいて、他の変形例、応用例を含む。
例えば、上記した実施形態例は本発明をわかりやすく説明するために装置及びシステムの構成を詳細かつ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加・削除・置換をすることも可能である。
また、上記の各構成、機能、処理部等は、それらの一部又は全部を、例えば集積回路で設計するなどによりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の揮発性あるいは不揮発性のストレージ、または、ＩＣカード、光ディスク等の記録媒体に保持することができる。
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【００６６】
１０１…患者、１０２…血糖計、１０３…体温計、１０４…血圧計、１０５…パルスオキシメータ、１０６…生体情報測定装置、１０７…生体情報収集装置、１０８…バーコード、１０９…データ中継カード、２０１…ＣＰＵ、２０２…ＲＯＭ、２０３…ＲＡＭ、２０４…ＲＴＣ、２０５…表示部、２０６…操作部、２０７…バス、２０８…Ａ／Ｄ変換器、２０９…増幅器、２１０…センサ、２１１…無線インターフェース、２１２…入出力制御部、２１３…測定値メモリ、２１４…機器情報、２１５…測定日時、２１６…測定値、２１７…レコード、３０１…筐体、３０２…操作ボタン、３０３…バーコードリーダ、３０４…ＣＰＵ、３０５…ＲＯＭ、３０６…ＲＡＭ、３０７…バス、３０８…第一無線インターフェース、３０９…第二無線インターフェース、３１０…入出力制御部、３１１…バッファ、４０１…ＣＰＵ、４０２…ＲＯＭ、４０３…ＲＡＭ、４０４…不揮発性ストレージ、４０５…表示部、４０６…操作部、４０７…ＲＴＣ、４０８…バス、４０９…タッチパネル、４１０…無線インターフェース、４１２…Ｄ／Ａ変換器、４１３…スピーカ、４１４…入出力制御部、４１５…一時メモリ、４１６…測定値テーブル、４１７…患者マスタ、４１８…機器マスタ、８３１…看護師
【図１】
2015187804.tif 000003
【図２】
2015187804.tif 000004
【図３】
2015187804.tif 000005
【図４】
2015187804.tif 000006
【図５】
2015187804.tif 000007
【図６】
2015187804.tif 000008
【図７】
2015187804.tif 000009
【図８】
2015187804.tif 000010
【図９】
2015187804.tif 000011
【図１０】
2015187804.tif 000012